(57)【要約】【課題】照明装置の点検動作を、装置内から外部に操作用の道具を出したり外部から特別な道具を用いたりすることなく容易に開始させることができる照明装置を提供する。【解決手段】本照明装置は、外部電力によって光源を発光させる装置であり、外部電力の供給が停止した際に光源に電力を供給可能な蓄電池と、蓄電池による電力供給に係る点検の開始を決定するための電磁波又は音波を放射する送波手段と、送波手段から放射され反射された波を検出可能な受波手段と、受波手段で検出された波が、送波手段から放射され点検者によって反射させられた反射波を含むか否かを判定する点検指示判定手段と、点検指示判定手段が反射波を含むとの判定を行った場合に、蓄電池による電力供給に係る点検動作を開始させる制御手段とを有する。このような構成により、送波手段から放射される波に手や反射具等をかざすといった容易な操作で点検動作を開始させることができる。【選択図】図４
2015079596.tif 000002
【特許請求の範囲】
【請求項１】
外部の電源から供給される電力によって光源を発光させる照明装置であって、
前記外部の電源からの電力供給が停止した際に前記光源に電力を供給可能な蓄電池と、
前記蓄電池による電力供給に係る点検の開始を決定するための電磁波又は音波を放射する送波手段と、
前記送波手段から放射され反射された波を検出可能な受波手段と、
前記受波手段で検出された波が、前記送波手段から放射され点検者によって反射させられた反射波を含むか否かを判定する点検指示判定手段と、
前記点検指示判定手段が当該反射波を含むとの判定を行った場合に、前記蓄電池による電力供給に係る点検動作を開始させる制御手段と
を有することを特徴とする照明装置。
【請求項２】
前記送波手段は所定範囲内の波長を含む電磁波又は音波を放射し、前記受波手段は、当該所定範囲内の波長の波を、当該所定範囲外の波長の波に比べてより高い感度で、及び／又は当該所定範囲外の波長の波と区別して選択的に検出することを特徴とする請求項１に記載の照明装置。
【請求項３】
所定の周波数で変調された電磁波又は音波を前記送波手段に放射させる送波駆動手段を更に有しており、
前記点検指示判定手段は、前記受波手段から出力された検出信号を当該所定の周波数で復調し、復調された当該検出信号に基づいて当該判定を行う
ことを特徴とする請求項１又は２に記載の照明装置。
【請求項４】
前記送波手段は電磁波を放射し、前記受波手段は電磁波を検出可能であり、該送波手段及び該受波手段は、電磁波の透過性を有する点検窓を設けたカバーで覆われており、該送波手段から放射される電磁波の放射軸は、該点検窓の表面の法線に対し所定の鋭角範囲内の角度で傾いていることを特徴とする請求項１から３のいずれか１項に記載の照明装置。
【請求項５】
前記制御手段は、前記点検指示判定手段が当該反射波を含むとの判定を行った際に当該点検動作を開始させ、前記点検指示判定手段が当該反射波を含むとの判定を行った後に当該反射波を含まないとの判定を行った際に当該点検動作を終了させることを特徴とする請求項１から４のいずれか１項に記載の照明装置。
【請求項６】
前記制御手段は、前記点検指示判定手段が当該反射波を含むとの判定を行った際に当該点検動作を開始させ、所定の点検設定時間の経過後に当該点検動作を終了させることを特徴とする請求項１から４のいずれか１項に記載の照明装置。
【請求項７】
前記制御手段は、前記点検指示判定手段が当該反射波を含むとの判定を行った後に当該反射波を含まないとの判定を行った際、当該点検動作を開始させることを特徴とする請求項１から４のいずれか１項に記載の照明装置。
【請求項８】
前記制御手段は、前記点検指示判定手段が所定の判定設定時間内に当該反射波を含むとの判定及びその後の当該反射波を含まないとの判定の組を１以上の所定回数だけ行った際、当該点検動作を開始させることを特徴とする請求項１、２、３、４及び７のいずれか１項に記載の照明装置。
【請求項９】
前記制御手段は、当該点検動作を開始させた際、前記光源への電力供給を停止させ、所定の照明停止時間経過後に該光源への電力供給を開始させることを特徴とする請求項１から８のいずれか１項に記載の照明装置。
【請求項１０】
当該点検動作には複数の種類が設定されており、前記制御手段は、前記点検指示判定手段が所定の判定設定時間内に当該反射波を含むとの判定及びその後の当該反射波を含まないとの判定の組を行った回数に応じて、予め当該回数毎に対応付けられた種類の点検動作のうちから対応する種類の点検動作を選択し、選択した当該点検動作を開始させることを特徴とする請求項１、２、３、４、７及び８のいずれか１項に記載の照明装置。
【請求項１１】
複数の種類の当該点検動作は、前記蓄電池によって前記光源に電力が供給されるか否かの点検動作、前記蓄電池における充電の程度の点検動作、及び前記蓄電池の電力供給に係る動作ログの点検動作を含むことを特徴とする請求項１０に記載の照明装置。
【請求項１２】
前記制御手段は、いずれかの種類の点検動作が実行されている間に、前記点検指示判定手段が、所定の判定設定時間内に当該反射波を含むとの判定及びその後の当該反射波を含まないとの判定の組を、他の種類の点検動作に対応する回数だけ行った際、実行されている点検動作に代えて当該他の種類の点検動作を開始させることを特徴とする請求項１０又は１１に記載の照明装置。
【請求項１３】
前記制御手段は、開始させた点検動作の種類に応じて、予め当該種類毎に対応付けられた開始・停止回数のうちで対応する開始・停止回数を選択し、選択した当該開始・停止回数だけ前記光源への電力供給を開始させ且つ停止させる動作を繰り返すことを特徴とする請求項１０から１２のいずれか１項に記載の照明装置。
【請求項１４】
外部の電源から供給される電力によって光源を発光させる照明装置における点検動作の開始方法であって、該照明装置は、
前記外部の電源からの電力供給が停止した際に前記光源に電力を供給可能な蓄電池と、
前記蓄電池による電力供給に係る点検の開始を決定するための電磁波又は音波を放射する送波手段と、
前記送波手段から放射され反射された波を検出可能な受波手段と、
を備えており、前記点検動作の開始方法は、
前記受波手段で検出された波が、前記送波手段から放射され点検者によって反射させられた反射波を含むか否かを判定する第１のステップと、
第１のステップで当該反射波を含むとの判定を行った場合に、前記蓄電池による電力供給に係る点検動作を開始させる第２のステップと
を有することを特徴とする点検動作の開始方法。
【請求項１５】
当該反射波は、前記送波手段から放射され当該点検者の身体部分で反射した波であることを特徴とする請求項１４に記載の点検動作の開始方法。
【発明の詳細な説明】
【技術分野】
【０００１】
本発明は、照明装置を点検する技術に関し、特に、点検動作を開始する技術に関する。
【背景技術】
【０００２】
照明装置は、建物や地下等における外光の遮断・制限された内部空間を照明して、人間の活動をサポートするのに必須となる手段である。特に、災害等の緊急時に照明を提供して安全な場所への避難行動を補助し、さらに、障害等の復旧作業を円滑に進めるのに重要な設備となる。
【０００３】
このため、照明装置には停電時にも照明を可能にする機能を備えているものが少なくない。このような装置では、通常、停電に備えて停電時の照明機能を正常に起動させることができるかどうかの点検が行われる。ここで、照明装置は通常、高い位置に設置されており、点検者が直接手で操作し難い又は操作できない状態にある。
【０００４】
この状態での点検動作の開始は、例えば特許文献１及び特許文献２に開示されているように、照明装置に設置された点検スイッチに付けられた紐を引いて同スイッチをＯＮにする方法によることが周知である。この場合、この紐を装置の外に出すための孔が装置の外枠に開けられる。
【０００５】
また、例えば特許文献３に開示されているように、紐の付けられた点検スイッチを用いる代わりに、リモコン送信機を用いて点検動作を開始させるという方法も提案されている。
【先行技術文献】
【特許文献】
【０００６】
【特許文献１】特開２０１１−１１３６５８号公報
【特許文献２】特開２０１１−０９０９２６号公報
【特許文献３】特開２００９−１８７７４０号公報
【発明の開示】
【発明が解決しようとする課題】
【０００７】
しかしながら、点検スイッチに付けられた紐は人間の手の届く範囲まで垂れ下がっている必要があり、場合によっては作業等の邪魔になる。また、洞道（通信ケーブル・送電ケーブル・ガス管等を収容し、作業用に人が立ち入れる大きさのトンネル）を含む地下道等の作業空間では、一般に湿度が非常に高い。そのため、点検スイッチに付けられた紐を通すための孔から装置内部に湿気が入り、装置内の回路の劣化を早めて装置を故障させることが懸念される。
【０００８】
さらに、点検動作開始のためにリモコン送信機を使用する方法では、点検の際にリモコン送信機をわざわざ携帯し、取り出して操作しなければならないという煩わしさがぬぐえない。
【０００９】
そこで、本発明は、照明装置の点検動作を、装置内から外部に操作用の道具を出したり外部から特別な道具を用いたりすることなく容易に開始させることができる照明装置及び方法を提供することを目的とする。
【課題を解決するための手段】
【００１０】
本発明によれば、外部の電源から供給される電力によって光源を発光させる照明装置であって、
外部の電源からの電力供給が停止した際に光源に電力を供給可能な蓄電池と、
蓄電池による電力供給に係る点検の開始を決定するための電磁波又は音波を放射する送波手段と、
送波手段から放射され反射された波を検出可能な受波手段と、
受波手段で検出された波が、送波手段から放射され点検者によって反射させられた反射波を含むか否かを判定する点検指示判定手段と、
点検指示判定手段が反射波を含むとの判定を行った場合に、蓄電池による電力供給に係る点検動作を開始させる制御手段と
を有する照明装置が提供される。
【００１１】
この照明装置において、送波手段は所定範囲内の波長を含む電磁波又は音波を放射し、受波手段は、この所定範囲内の波長の波を、この所定範囲外の波長の波に比べてより高い感度で、及び／又はこの所定範囲外の波長の波と区別して選択的に検出することも好ましい。ここで、送波手段は電磁波を放射し、受波手段は電磁波を検出可能であって、受波手段が所定範囲内の波長の電磁波をこの所定範囲外の波長の電磁波と区別して選択的に検出する際、電磁波フィルタが受波手段の受波部に設けられることも好ましい。
【００１２】
また、本発明の照明装置において、所定の周波数で変調された電磁波又は音波を送波手段に放射させる送波駆動手段を更に有しており、点検指示判定手段は、受波手段から出力された検出信号をこの所定の周波数で復調し、復調された検出信号に基づいて上述した判定を行うことも好ましい。
【００１３】
さらに、本発明の照明装置において、送波手段は電磁波を放射し、受波手段は電磁波を検出可能であり、送波手段及び受波手段は、電磁波の透過性を有する点検窓を設けたカバーで覆われており、送波手段から放射される電磁波の放射軸は、点検窓の表面の法線に対し所定の鋭角範囲内の角度で傾いていることも好ましい。
【００１４】
また、本発明の照明装置における制御手段は、点検指示判定手段が反射波を含むとの判定を行った際に点検動作を開始させ、点検指示判定手段が反射波を含むとの判定を行った後に反射波を含まないとの判定を行った際に点検動作を終了させることも好ましい。さらに、点検指示判定手段が反射波を含むとの判定を行った際に点検動作を開始させ、所定の点検設定時間の経過後に点検動作を終了させることも好ましい。
【００１５】
さらに、本発明の照明装置における制御手段は、点検指示判定手段が反射波を含むとの判定を行った後に反射波を含まないとの判定を行った際、点検動作を開始させることも好ましい。さらに、点検指示判定手段が所定の判定設定時間内に反射波を含むとの判定及びその後の反射波を含まないとの判定の組を１以上の所定回数だけ行った際、点検動作を開始させることも好ましい。
【００１６】
また、本発明の照明装置における制御手段は、点検動作を開始させた際、光源への電力供給を停止させ、所定の照明停止時間経過後に光源への電力供給を開始させることも好ましい。
【００１７】
さらに、本発明の照明装置における他の実施形態として、点検動作には複数の種類が設定されており、制御手段は、点検指示判定手段が所定の判定設定時間内に反射波を含むとの判定及びその後の反射波を含まないとの判定の組を行った回数に応じて、予め当該回数毎に対応付けられた種類の点検動作のうちから対応する種類の点検動作を選択し、選択した点検動作を開始させることも好ましい。ここで、複数の種類の点検動作として、（ａ）蓄電池によって光源に電力が供給されるか否かの点検動作、（ｂ）蓄電池における充電の程度の点検動作、及び（ｃ）蓄電池の電力供給に係る動作ログの点検動作を含むことも好ましい。
【００１８】
また、上述した実施形態において、制御手段は、いずれかの種類の点検動作が実行されている間に、点検指示判定手段が、所定の判定設定時間内に反射波を含むとの判定及びその後の反射波を含まないとの判定の組を、他の種類の点検動作に対応する回数だけ行った際、実行されている点検動作に代えて他の種類の点検動作を開始させることも好ましい。
【００１９】
さらに、上述した実施形態において、制御手段は、開始させた点検動作の種類に応じて、予めこの種類毎に対応付けられた開始・停止回数のうちで対応する開始・停止回数を選択し、選択した開始・停止回数だけ光源への電力供給を開始させ且つ停止させる動作を繰り返すことも好ましい。
【００２０】
本発明によれば、さらに、外部の電源から供給される電力によって光源を発光させる照明装置における点検動作の開始方法であって、この照明装置は、
外部の電源からの電力供給が停止した際に光源に電力を供給可能な蓄電池と、
蓄電池による電力供給に係る点検の開始を決定するための電磁波又は音波を放射する送波手段と、
送波手段から放射され反射された波を検出可能な受波手段と、
を備えており、上記の点検動作の開始方法は、
受波手段で検出された波が、送波手段から放射され点検者によって反射させられた反射波を含むか否かを判定する第１のステップと、
第１のステップで反射波を含むとの判定を行った場合に、蓄電池による電力供給に係る点検動作を開始させる第２のステップと
を有する点検動作の開始方法が提供される。
【００２１】
この点検動作の開始方法において、反射波は、送波手段から放射され点検者の身体部分で反射した波であることも好ましい。
【発明の効果】
【００２２】
本発明の照明装置及び点検動作開始方法によれば、照明装置の点検動作を、装置内から外部に操作用の道具を出したり外部から特別な道具を用いたりすることなく容易に開始させることができる。
【図面の簡単な説明】
【００２３】
【図１】本発明による照明装置の一実施形態を示す平面図、正面図及び側面図である。
【図２】本発明による照明装置を洞道に設置した状態、及び点検モードを起動させる動作を説明するための模式図である。
【図３】本発明による照明装置の一実施形態における機能部の構成図である。
【図４】本発明による照明装置の一実施形態における機能ブロック図である。
【図５】本発明に係る投受光ユニットの機能ブロック図である。
【図６】本発明に係る投受光ユニットにおける点検指示判定部及び投光駆動部の動作を示すタイミングチャートである。
【図７】本発明に係る投受光ユニットの設置例を示す模式図である。
【図８】本発明に係る点検動作の開始における幾つかの実施形態を示すタイミングチャートである。
【図９】本発明に係る点検動作の開始における他の実施形態を示すタイミングチャートである。
【図１０】本発明に係る点検動作の開始における更なる他の実施形態を示すタイミングチャートである。
【図１１】本発明に係る点検動作の開始における更なる他の実施形態を示すタイミングチャートである。
【図１２】本発明に係る点検動作の開始における更なる他の実施形態を示すタイミングチャートである。
【図１３】本発明による照明装置の一実施形態における通常モード、停電モード及び点検モードでの各構成部の動作を示すタイミングチャートである。
【発明を実施するための形態】
【００２４】
以下に、本発明を実施するための形態について、添付図面を参照しながら詳細に説明する。なお、各図面において、同一の要素は、同一の参照番号を用いて示される。また、図面中の構成要素内及び構成要素間の寸法比は、図面の見易さのため、それぞれ任意となっている。
【００２５】
図１は、本発明による照明装置の一実施形態を示す平面図（図１（Ａ））、正面図（図１（Ｂ））及び側面図（図１（Ｃ）及び（Ｄ））である。尚、以後の図面中には装置等の向きの指標となるｘｙｚ座標系が適宜示されている。
【００２６】
本実施形態の照明装置１は、例えば洞道の内部の通行・作業空間を照明するための装置である。ここで、洞道とは、通信ケーブル・送電ケーブル・ガス管等を収容し、作業用に人が立ち入れる大きさのトンネルをいう。照明装置１は、停電時にも洞道内部を照明することができるように蓄電池２４を備え、停電時には蓄電池２４の電力を用いて照明を行う。
【００２７】
図１（Ａ）〜（Ｃ）によれば、照明装置１は、ベース板１１上に設置された照明部２２から、照明部２２を覆うカバー１２に設けられた照明窓１２２を介して照明光を放射する。この照明部２２には、電源線４を介して入力した商用電力と、照明装置1内に設置された蓄電池２４からの出力電力との両方が供給可能となっている。
【００２８】
ベース板１１は、例えばステンレス等の金属で形成されており、その表面には塗装等の防食処理が施されていてもよい。ベース板１１上には、後に図３を用いて示すように、照明部２２を含む照明のための回路装置・部品が設置されている。カバー１２は、例えばポリカーボネート等のモールド樹脂を成型して作製されており、照明窓１２２、表示窓１２３及び点検窓１２１（図１（Ｄ））以外の部分には、塗装等の光を通さない加工が施されている。
【００２９】
ここで、照明装置１では、停電時の照明機能を正常に起動させることができるか否かの点検を行うことができる。具体的には、通常の照明を行う通常モードとは別に点検モードを起動させることができる。カバー１２に設けられた点検窓１２１は、この点検モードを起動させるための透光性（透過性）を有する光学的開口部である。後に詳細に説明するように、点検者は、点検窓１２１から放射される光（点検光）に手をかざすことによって容易に点検モードを起動させることができる。
【００３０】
この点検窓１２１は、本実施形態において、照明光との干渉をできる限り回避するために、ケーブルグランド１３とは反対側の（yz面である）側面に設けられている。しかしながら、照明装置１の他の位置に設けることも当然に可能である。
【００３１】
表示窓１２３は、照明装置１の動作状態（動作モード）を表示するための光学的開口部である。表示窓１２３からは、表示ランプ２６（図３）が目視され、その点灯状態から給電状態、停電状態及び点検状態を確認することができる。
【００３２】
一般に、洞道内の空間は非常に湿気が高く、例えば湿度が概ね１００％であることも少なくない。この湿気対策のために、ベース板１１には、カバー１２を取り付けるためのネジ穴が複数開けられており、ベース板１１の天側からこれらのネジ穴に差し込まれたネジによってカバー１２をネジ止めしている。これにより、ベース板１１とカバー１２との間が密封され、装置全体の防水性が確保される。尚、ベース板１１には照明装置１自体を、例えば洞道の天井部や側壁面に設置するための取り付け穴が開けられていることも好ましい。
【００３３】
さらに、電源線４は、ケーブルグランド１３を介して照明装置１の内部に及んでおり、装置の防水性を確保しながら照明装置１に商用電力を供給する。このように、照明装置１は、全体が密封されており高い防水性を有している。尚、照明装置１には、一般的にみられるような点検モードを起動させるための紐はつり出されていない。従って、そのような紐を装置外に出すための孔も有していない。また、点検時にカバー１２を開けて装置内を操作する必要もない。その結果、装置の密封性・防水性を高い状態で維持することが可能となっている。
【００３４】
図２は、照明装置１を洞道に設置した状態、及び点検モードを起動させる動作を説明するための模式図である。
【００３５】
図２（Ａ）によれば、照明装置１は、洞道の通路の天井部に設置されている。ここで、照明装置１の長手方向（ｘ軸方向）は、通路の方向（紙面に垂直な方向）に対して直交している。このように装置を設置した場合、点検窓１２１からの放射光である点検光Ｔは、洞道の側壁面に向かって斜め下方に放射される。この際、図２（Ａ）において破線の楕円で示したエリアが点検起動の可能な点検起動エリアとなる。
【００３６】
図２（Ｂ）によれば、点検者は、点検起動エリア内に自身の手のひらを差し出し点検光Ｔにかざすことで点検モードを起動する。この場合、手のひらで反射した点検光Ｔが反射光Ｒとなってその一部が点検窓１２１に入射する。照明装置１は、この入射した反射光Ｒを検出して点検モードを起動させる。尚、点検モードを起動させるために点検光Ｔにかざすものは当然、手のひらに限定されるものではなく点検者の他の身体部位でもよい。さらに例えば図２（Ｃ）に示すような反射板等の点検光Ｔを反射させ得る反射具でも可能である。但し、手のひらをかざす場合、点検者は何ら特別の道具を使用せずに点検モードを起動させることができる。
【００３７】
また、点検モードを起動させる際、手のひら又は反射具等を点検起動エリア内に割り入れてもよく（図２（Ｄ））、手のひら又は反射具等を点検窓１２１に近づけつつ点検起動エリア内に入れてもよい（図２（Ｅ））。後者の場合、点検者は、手のひら又は反射具等を、反射光Ｒが反射光として判定されないような遠くの位置から判定される位置にまで近づけることになる。尚、点検光Ｔとして例えば赤色ＬＥＤ（Light emitting Diode）から放射されるような可視光を用いることによって、洞道の側壁面に到達した点検光Ｔの光点を視認することができ点検光Ｔの光軸の位置が概ね分かるので、点検起動エリアを容易に推定することができる。
【００３８】
点検者が手のひら又は反射具等を点検光Ｔにかざさない場合、点検窓１２１から放射された点検光Ｔは、洞道の側壁面に当たって反射する。この反射した光が点検窓１２１に入射して反射光Ｒとして判定されないように（第１の条件）、後に説明する照明装置１の受光器２５２（図５）の感度や投受光ユニット２５（図３）の取り付け角度等を調整する。また、このような調整によって、点検起動エリアを、点検窓１２１と点検光Ｔが側壁面に当たる位置との間に設定することも可能となる。
【００３９】
さらに、洞道の天井部の床面からの高さは、一般に、人間の身長より若干高い程度（例えば約２.５ｍ）である。従って、点検以外の作業や歩行動作によって点検モードが起動することなく且つ手を伸ばせば点検起動エリアに届くように（第２の条件）、受光器２５２の感度や投受光ユニット２５の取り付け角度等を調整することができる。
【００４０】
ここで、点検モードを起動させるのに適した点検窓１２１と手のひらとの距離は、例えば０〜０.５ｍ程度とすることができる。また、反射具として白い紙を用いる場合、この距離の上限を例えば１ｍ程度とすることができ、さらに反射具として鏡を用いる場合、この距離の上限を例えば２ｍ程度とすることができる。
【００４１】
尚、当然に、本発明の照明装置は、洞道専用の装置に限定されるものではない。停電時に蓄電池による照明のバックアップを行う必要があり、且つこのバックアップの作動具合を適宜点検することが要請される環境であれば、本発明の照明装置を設置することが好ましい。
【００４２】
さらに、点検モードの起動開始の決定に使用される放射体は、以上に説明した光（点検光Ｔ）に限定されるものではない。後に説明するように、可視光及び近赤外光以外の電磁波を放射可能な電磁波送信器を使用して、点検光Ｔの代わりに点検電磁波を放射してもよい。この場合、照明装置に設置された電磁波受信器によって、点検者の手のひら又は反射具等で反射された点検電磁波である反射電磁波を検出する。
【００４３】
ここで、可視光及び近赤外光を含む電磁波を点検波（点検光Ｔ）とする場合、点検窓１２１を設けずに、送波器（投光器、電磁波送信器）の放射部を外部に露出させて照明装置に設置してもよい。この場合、同じく受波器（受光器、電磁波受信器）の検波部を外部に露出させて照明装置に設置してもよい。尚、この実施形態でも、点検電磁波（点検光Ｔ）の放射軸（光軸）は、斜め下方に伸長させることができる。
【００４４】
さらに、同じく後に説明するように、音波、特に超音波を放射可能な超音波送信器を使用して、点検光Ｔの代わりに点検超音波を放射してもよい。この場合、照明装置に設置された超音波受信器によって、点検者の手のひら又は反射具等で反射された点検超音波である反射超音波を検出する。
【００４５】
ここで、超音波を点検超音波とする場合、点検窓１２１は設置されないことも好ましい。この場合、送波器（超音波送信器）の放射部及び受波器（超音波受信器）の検波部を外部に露出させて照明装置に設置してもよい。尚、この実施形態でも、点検超音波の放射軸は、斜め下方に伸長させることができる。
【００４６】
図３は、照明装置１における機能部の構成図である。
【００４７】
図３によれば、照明装置１は内部の機能部として、電源部２１と、照明部２２と、制御部２３と、蓄電池２４と、投受光ユニット２５と、表示ランプ２６とを備えている。電源部２１はＡＣ／ＤＣ電源であり、電源線４より給電された商用交流電力を直流電力に変換し、この直流電力を照明部２２及び蓄電池２４に供給する。
【００４８】
照明部２２は、例えばＬＥＤ光源を含み直流電力で駆動されるＬＥＤ照明ユニットとすることができる。照明窓１２２を介して外部に照明光を放射する。尚、照明部２２は当然に、ＬＥＤによる照明手段に限定されるものではなく、蛍光灯、電熱球又は放電ランプ等を用いた照明手段とすることもできる。
【００４９】
制御部２３は、照明装置１における（ａ）通常モードでの照明動作及び充電動作、（ｂ）停電モードでの放電動作、及び（ｃ）点検モードでの点検動作を制御する。
【００５０】
蓄電池２４は、外部の商用電源からの電力供給が停止する停電時に、照明部２２に直流電力を供給する二次電池であり、例えば、リチウムイオン蓄電池、ニッケル水素電池又は鉛蓄電池等とすることができる。
【００５１】
表示ランプ２６は、（例えば緑色光を放つ）給電表示ランプと（例えば赤色光を放つ）停電表示ランプとを含んでいてもよい。ここで、商用電力が供給されている場合には給電表示ランプが点灯し、停電時及び点検時には停電表示ランプが点灯することも好ましい。
【００５２】
投受光ユニット２５は、蓄電池２４による電力供給に係る点検の開始を決定するための点検光Ｔを放射し、さらに、放射され反射された光を検出することができる。また、検出された光が、放射され点検者によって反射させられた反射光Ｒを含むか否かを判定する。ここで、投受光ユニット２５において反射光Ｒを含むとの判定が行われた場合に、制御部２３は、蓄電池２４による電力供給に係る点検モードを開始させる。次に、機能ブロック図を用いて、この制御部２３による制御を詳細に説明する。
【００５３】
図４は、照明装置１における機能ブロック図である。
【００５４】
図４によれば、商用電源とスイッチであるＳＷ１とは、照明装置１の外部に設置されている。また、商用電源から配線された共通線と充電線との間には常時、商用交流電力が供給されている。ＳＷ１が配設されたスイッチ線は充電線と同極であり、ＳＷ１が閉成されると共通線とスイッチ線との間に商用交流電力が供給される。
【００５５】
電源部２１では、供給された交流電力が直流電力に変換される。ＳＷ２は、電源部２１から照明部２２への直流電力の供給をＯＮ／ＯＦＦするスイッチである。また、ＳＷ３は、電源部２１から蓄電池２４への直流電力（充電電力）の供給をＯＮ／ＯＦＦするスイッチである。さらに、ＳＷ４は、蓄電池２４から照明部２２への直流電力の供給をＯＮ／ＯＦＦするスイッチであり、ＳＷ５は、照明部２２の照明動作をＯＮ／ＯＦＦするスイッチである。
【００５６】
［通常モード］
同じく図４を用いて、最初に通常モードを説明する。通常モードとは、商用電源から給電された状態において、ＳＷ５を操作して照明部２２の照明動作をＯＮ／ＯＦＦするモードである。この場合、ＳＷ５は実際には、外部のＳＷ１に連動して開閉する。通常モードでは、共通線と充電線との間に常時供給されている交流電力が、制御部２３を介して電源部２１に入力され、電源部２１からは直流電力が常時出力されている。
【００５７】
また、通常モードでは、制御部２３はＳＷ２〜ＳＷ４を閉成している。従って、照明部２２及び蓄電池２４には電源部２１から常時、直流電力が供給されている。ここで、照明部２２には蓄電池２４も接続されているが、電源部２１の出力電圧を蓄電池２４の出力電圧よりも高く設定して、蓄電池２４側から照明部２２へ給電されないようにしている。
【００５８】
さらに、制御部２３は、共通線とスイッチ線との間の交流電力の供給、即ち外部のＳＷ１の開閉を監視しており、外部のＳＷ１の開閉を検出したらＳＷ５を開閉して、照明部２２の照明動作をＯＮ／ＯＦＦして制御する。また、制御部２３は、蓄電池２４の電池電圧も監視しており、蓄電池２４が過充電とならないようにＳＷ３の開閉を制御する。例えば、蓄電池２４としてニッケル水素電池を用いた場合、セル１本当たり１.８Ｖにまで電圧が上昇したらＳＷ３を開放する。
【００５９】
［停電モード］
次いで、同じく図４を用いて停電モードを説明する。ここで、停電とは商用電源からの給電が途絶えた状態である。停電モードでも、制御部２３はＳＷ２〜ＳＷ４を閉成しているが、電源部２１からの電力供給が停止するので、照明部２２には蓄電池２４から電力が供給される。制御部２３は、共通線と充電線との間の交流電力の供給も監視しており、停電を検出したらＳＷ５を閉成して、照明部２２の照明動作をＯＮにする。ここで、制御部２３は、ＳＷ１が開放されたとも認識するが、上記のように停電を検出したことを優先し、ＳＷ５を、ＳＷ１に連動させずに閉成する。尚、この蓄電池２４の電力で照明部２２の照明をＯＮさせる動作を、以後バックアップ動作と称する。
【００６０】
制御部２３は、さらに、蓄電池２４が過放電とならないようにＳＷ４の開閉を制御する。例えば、ニッケル水素電池を用いた場合、セル１本当たり１.０Ｖにまで電圧が下降したらＳＷ４を開放する。
【００６１】
［点検モード］
次いで、同じく図４を用いて点検モードを説明する。投受光ユニット２５は、後に説明するように投光器２５１（図５）及び受光器２５２（図５）を備えており、投光器２５１から放射された点検光Ｔが照明装置１の外部で反射させられて受光器２５２に入射したことを検出・判定する。投受光ユニット２５から出力される点検モード起動信号は、制御部２３に入力され、制御部２３は、この起動信号の入力に基づいて、バックアップ動作が正常に行われるか否かの点検動作を開始させる。
【００６２】
制御部２３は、具体的に、投受光ユニット２５から起動信号を入力すると、ＳＷ２及びＳＷ３を開放し、ＳＷ４及びＳＷ５を閉成する。これにより、商用電力が供給されている状態であっても照明装置１を停電時の状態にすることができるため、バックアップ動作が正常に行われるか否かを確認することができる。
【００６３】
尚、照明装置１における機能構成は当然に、以上に説明した形態に限定されるものではない。例えば、通常モードでは電源部２１から照明部２２に給電され、停電モード及び点検モードでは蓄電池２４から照明部２２に給電されるような配線及びスイッチ構成ならば、種々の回路が適用可能となる。
【００６４】
図５は、本発明に係る投受光ユニット２５の機能ブロック図である。
【００６５】
図５によれば、投受光ユニット２５は、投光器２５１と、受光器２５２と、光学フィルタ２５３と、点検指示判定部２７と、投光駆動部２８とを有する。
【００６６】
投光器２５１は、可視光又は近赤外光を発光する発光素子を含み、照明装置１の外部に点検光Ｔを放射する。発光素子として、波長６００〜７８０ナノメートル（ｎｍ）の光を発光する赤色ＬＥＤ、又は波長７８０〜１１００ｎｍの光を発光する赤外線ＬＥＤを用いることも好ましい。また、投光駆動部２８は、投光器２５１を起動させ制御するための駆動・制御手段である。
【００６７】
尚、投光器２５１の代わりに、可視光及び近赤外光以外の電磁波を放射可能な送波器としての電磁波送信器を使用することも可能である。この場合、点検の開始を決定する点検波として、点検光Ｔの代わりに点検電磁波を利用することになる。さらに他の実施形態として、投光器２５１の代わりに、超音波を放射可能な送波器としての超音波送信器を使用してもよい。この場合は、点検波として、点検光Ｔの代わりに点検超音波を利用することになる。
【００６８】
受光器２５２は、投光器２５１から放射され反射された反射光Ｒを検出可能な受光素子を含む受光手段である。受光素子として、例えばフォトダイオードを用いることができ、また、発光素子が放射する光の波長である６００〜１１００ｎｍ内に受光感度を有するものであることも好ましい。
【００６９】
尚、受光器２５２の代わりに、可視光及び近赤外光以外の電磁波を検出可能な受波器としての電磁波受信器を使用することも可能である。この場合、反射光Ｒの代わりに、電磁波送信器から放射され反射された反射電磁波を利用することになる。さらに他の実施形態として、受光器２５２の代わりに、音波、特に超音波を検出可能な受波器としての超音波受信器を使用してもよい。この場合は、反射光Ｒの代わりに、超音波送信器から放射され反射された反射超音波を利用することになる。
【００７０】
図５に戻って、点検光Ｔを例えば可視光に限定することにより、赤外光領域の外乱光による誤動作を低減することができる。この場合、投光素子として例えば発光波長が６００〜７８０ｎｍのものを使用し、受光素子として例えば受光感度が６００〜７５０ｎｍのものを使用する。その結果、赤外光領域の外乱光を反射光Ｒとして検出することが回避可能となる。
【００７１】
このように、投光器２５１は所定範囲内の波長を含む点検光Ｔを放射し、受光器２５２は、この所定範囲内の波長の光を、この所定範囲外の波長の光に比べてより高い感度で検出することも好ましい。これにより、外乱光等による点検モードの誤起動を抑制することができる。
【００７２】
光学フィルタ２５３は、例えば光学的なローパスフィルタであり、発光素子が放射する点検光Ｔの波長よりも短い波長の光をカットし、発光素子が放射する点検光Ｔとこの点検光Ｔよりも長い波長の光とを通過させ得る特性を有することも好ましい。例えば、カット波長が６００ｎｍであり、透過率が波長５８０ｎｍで１５％未満であって波長６２０ｎｍで８５％よりも大きい光学フィルタが使用される。このような光学フィルタ２５３を使用し、さらに上述したような発光波長及び受光感度を６００〜７００ｎｍ台に限定した投光器２５１及び受光器２５２を使用した場合、点検光Ｔの波長を含む波長領域よりも短い波長の光も長い波長の光も共に除外することができ、結果として誤動作がより低減可能となる。
【００７３】
このように、受光器２５２は、点検光Ｔの波長を含む所定範囲内の波長の光を、この所定範囲外の波長の光に比べてより高い感度で検出し、且つ光学フィルタ等を使用してこの所定範囲外の波長の光と区別して選択的に検出することも好ましい。これにより、外乱光等による点検モードの誤起動をより確実に抑制することができる。
【００７４】
尚、送信器２５１及び受信器２５２の代わりに超音波（電磁波）送信器及び超音波（電磁波）受信器を使用し、超音波（電磁波）送信器は所定範囲内の波長を含む超音波（電磁波）を放射し、超音波（電磁波）受信器は、この所定範囲内の波長の超音波（電磁波）を、この所定範囲外の波長の超音波（電磁波）に比べてより高い感度で、及び／又はこの所定範囲外の波長の波と区別して選択的に検出してもよい。このような実施形態でも、点検モードの誤起動を抑制することができる。
【００７５】
点検指示判定部２７は、受光器２５２で検出された光が、投光器２５１から放射され点検者によって反射させられた反射光Ｒを含むか否かを判定し、判定結果を起動信号として制御部２３（図４）に出力する。本実施形態では具体的に、点検指示判定部２７は、受光器２５３に入射した光を増幅するとともに、投光駆動部２８の駆動周期に同期して入射光を復調し、起動信号（判定結果信号）として出力する。次に、点検指示判定部２７と、投光器２５１の投光駆動部２８との動作を説明する。
【００７６】
図６は、投受光ユニット２５における点検指示判定部２７及び投光駆動部２８の動作を示すタイミングチャートである。
【００７７】
図６（Ａ）によれば、投光駆動部２８からの駆動出力である出力Ａ（図５のＡ位置での出力）では、所定の周期をもって予め設定されたパルス幅のパルス信号が出力されている。投光駆動部２８はこの出力をもって発光器２５１をパルス駆動する。例えば、１ｍｓの周期をもって０.１ミリ秒（ｍｓ）のＯＮ動作を行うことができる。
【００７８】
このような出力Ａの状態で、点検者が点検光Ｔにまだ手をかざしていない状況では、受光器２５２からの出力Ｂ（図５のＢ位置での出力）には、外乱光による出力が現れているのみである。この出力は、点検指示判定部２７のＣＭＰ１＋に入力される。また、ＣＭＰ１−には、図６（Ｂ）の出力Ｇ（図５のＧ位置での出力）に示すように、出力Ａの反転信号が分圧されて入力される。
【００７９】
ここで、この分圧における分圧比は、出力ＡがＨＩＧＨ（Ｈ）レベルの際に、外乱光からなる出力ＢにおいてＣＭＰ１が反転する直前であって且つ反転しないレベルに調整される。その結果、出力ＡがＬＯＷ（Ｌ）レベルの期間では、外乱光による所定内の出力が存在していてもＣＭＰ１−のレベルが高いので、ＣＭＰ１は反転することがない。一方、出力ＡがＨレベルの期間では、ＣＭＰ１−のレベルが低くＣＭＰ１が反転しやすいので、出力Ｂにおいて反射光Ｒに係る出力をより確実に検出することができる。
【００８０】
図６（Ａ）に戻って、出力Ｂにより生成されたＣＭＰ１のパルス出力は、復調回路で電圧に変換され、出力ＤとしてＣＭＰ２に出力され、ＣＭＰ２でＨ／Ｌレベルに変換されて出力Ｅとなる。出力Ｅは反転処理され、点検者の手がかざされたか否かの判定結果を示す出力Ｆが、投受光ユニット２５から出力される。
【００８１】
このように本実施形態によれば、投光駆動部２８は所定の周波数で変調された信号を投光器２５１に出力し、投光器２５１にこの所定の周波数で変調された光を点検光Ｔとして放射させる。また、点検指示判定部２７は、受光器２５２から出力された検出信号を所定の周波数で復調し、復調された検出信号に基づいて、「受光器２５２で検出された光が、投光器２５１から放射され点検者によって反射させられた反射光Ｒを含むか否か」を判定する。これにより、所定の周波数とは無関係の外乱光等を受光することによって不要な点検モードが起動するのを阻止することができる。
【００８２】
ここで、出力ＦにおけるＨレベルからＬレベルへの変化が「反射光Ｒを含む」との判定を行ったことに対応し、ＬレベルからＨレベルへの変化が「反射光Ｒを含まない」との判定を行ったことに対応する。尚、投受光ユニット２５からの出力Ｆを受けて制御部２３で認識される点検モード起動信号は、この出力Ｆを反転したものとなっている。従って、点検モード起動信号がＯＦＦからＯＮへ立ち上がることが「反射光Ｒを含む」との判定を行ったことに対応し、ＯＮからＯＦＦへ立ち下がることが「反射光Ｒを含まない」との判定を行ったことに対応するのである。
【００８３】
尚、点検指示判定部２７の回路構成及び動作は当然、以上に説明したものに限定されるものではない。例えば、受光器２５２が所定強度閾値以上の強度を有する光を受光した場合に、「反射光Ｒを含む」との判定を示すＨレベルの判定結果信号を出力するものでも点検指示判定手段として適用可能である。また、判定結果信号も種々の形態をとることができ、例えば、判定結果信号として、「反射光Ｒを含む」又は「反射光Ｒを含まない」との判定時に出力される１以上の所定数のパルス信号を用いることも可能である。
【００８４】
また、他の実施形態として、送信器２５１及び受信器２５２の代わりに超音波（電磁波）送信器及び超音波（電磁波）受信器を使用し、投光駆動部２８の代わりに超音波（電磁波）駆動部を使用して、上記の出力Ａ及び出力Ｂと同様の出力を点検指示判定部２７へ入力させることも可能である。この場合も、例えば点検者の手かざしの有無によって図６に示した出力Ｂと同様の出力が発生することになる。また、その結果、点検指示判定部２７から出力Ｆと同様の出力を取得することができる。ここで、出力ＦにおけるＨレベルからＬレベルへの変化が「点検者によって反射させられた反射超音波（電磁波）を含む」との判定を行ったことに対応し、ＬレベルからＨレベルへの変化が「点検者によって反射させられた反射超音波（電磁波）を含まない」との判定を行ったことに対応する。
【００８５】
図７は、投受光ユニット２５の設置例を示す模式図である。
【００８６】
照明装置１内において、投受光ユニット２５は、投光器２５１から放射される点検光Ｔが点検窓１２１から装置の外部に出るように設置される。図７（Ａ）の設置例では、投光器２５１から放射される点検光Ｔの光軸が照明装置１の長手方向（ｘ軸方向）と平行であり、光軸に沿った点検光Ｔは、点検窓１２１に垂直に入射し外部に出射している。そのため、点検光Ｔの一部は点検窓１２１の内面１２１ｎで反射し、反射光ｒとなって受光器２５２に入射してしまう。また、点検光Ｔの別の一部は点検窓１２１の外面１２１ｓの内側で反射し、反射光ｒ’となって受光器２５２に入射してしまう。このような反射光ｒ及びｒ’は誤動作の原因となり得る。
【００８７】
次いで、図７（Ｂ１）及び（Ｂ２）の設置例では、投受光ユニット２５は、
（ａ）投光器２５１から放射される点検光Ｔの光軸が照明装置１の長手方向（ｘ軸方向）から下方（＋ｚ方向）に傾くように、且つ
（ｂ）投光器２５１が受光器２５２の斜め下方に位置するように
設置されている。ここで、（ａ）の場合、点検光Ｔの光軸は、点検窓１２１の表面の法線に対し所定の鋭角範囲内の角度で傾いていることになる。このような設置例によれば、図７（Ａ）で説明した反射光ｒ及びｒ’の投受光ユニット２５（受光器２５２）への入射を低減することができる。
【００８８】
さらに、図７（Ｃ１）及び（Ｃ２）の設置例では、投受光ユニット２５は、
（ｃ）投光器２５１から放射される点検光Ｔの光軸が照明装置１の長手方向（ｘ軸方向）から下方（＋ｚ方向）に傾くように、且つ
（ｄ）投光器２５１と受光器２５２とが（ｚ軸方向において）同一の高さに位置するように
設置されている。この設置例によっても、図７（Ａ）で説明した反射光ｒ及びｒ’の受光器２５２への入射を低減することができる。また、この設置例における投光器２５１の出射位置と点検窓１２１の内面との距離ｄ２は、図７（Ｂ１）及び（Ｂ２）の設置例における対応する距離ｄ１に比べて十分に小さい値に設定可能である。その結果、図７（Ｂ１）に示すようなカバー１２の内面での複雑な反射光をも低減し、誤動作をより抑制することができる。
【００８９】
図８は、本発明に係る点検動作の開始における幾つかの実施形態を示すタイミングチャートである。
【００９０】
図８（Ａ）は、点検者が点検起動エリアで点検光Ｔに手をかざした場合における、投受光ユニット２５の出力と、制御部２３の認識論理とを示している。同図によれば、制御部２３は、点検者が手をかざしたときに出力Ｆ（図６）を受けて点検モード起動信号がＯＮになったと認識する。
【００９１】
次いで、図８（Ｂ）は、点検モード起動信号がＯＮである期間だけ点検動作をＯＮにする（点検モードを起動させる）実施形態を示している。ここで、点検モードの起動中は、ＳＷ２を開放してＳＷ５を閉成する。点検動作をＯＮにする前及び点検動作のＯＮが終了した後では、ＳＷ５の動作はＳＷ１に従う。
【００９２】
この実施形態では、制御部２３は、点検モード起動信号がＯＦＦからＯＮへ立ち上がった際に、即ち点検指示判定部２７が反射光Ｒを含むとの判定を行った際に点検動作を開始させる。また、点検モード起動信号がＯＮからＯＦＦへ立ち下がった際に、即ち点検指示判定部２７が反射光Ｒを含まないとの判定を行った際に点検動作を終了させることになる。
【００９３】
さらに、図８（Ｃ）は、点検モード起動信号がＯＦＦからＯＮになった時点で、予め設定された点検設定時間ｔだけ点検動作をＯＮにする実施形態を示している。この場合、制御部２３は、点検モード起動信号がＯＦＦからＯＮへ立ち上がった際に、即ち点検指示判定部２７が反射光Ｒを含むとの判定を行った際に点検動作を開始させ、所定の点検設定時間ｔの経過後に点検動作を終了させることになる。
【００９４】
この実施形態では、例えば点検窓１２１が徐々に汚れて、この汚れによる反射光が受光器２５２で所定の強度以上に検出され、点検モードを起動させる点検モード起動信号が常時ＯＮとなったとしても、点検動作を継続してＯＮにしてしまう事態を回避することができる。また、必要な時間だけ点検モードを起動させるために、点検光Ｔに手又は反射具等をかざし続ける必要がなくなる。即ち、手又は反射具等をかざしてひとたび点検モードが起動されれば、かざす動作を止めても点検モードは所定時間継続するのである。
【００９５】
さらに、図８（Ｄ）に示した実施形態においても、図８（Ｃ）と同じく、点検モード起動信号がＯＦＦからＯＮになった時点で、予め設定された点検設定時間ｔだけ点検動作をＯＮにする。しかしながら、本実施形態では、この点検動作のＯＮ状態が終了してから所定の点検動作休止時間ｔRの間に、点検モード起動信号がＯＦＦからＯＮになったとしても、点検動作は立ち上がらずＯＦＦのままとなる。尚、点検動作休止時間ｔRが経過したならば、点検モード起動信号がＯＦＦからＯＮになった時点で点検モード起動信号がＯＦＦからＯＮになるのである。
【００９６】
このように、点検動作休止時間ｔRを設定することによって、点検モードを連続的に起動させ蓄電池２４に蓄電された電力を不要に消耗させる動作を防止することができる。さらに、点検動作を行った後、少なくとも点検動作休止時間ｔRの間、蓄電池２４に対する充電時間を確実に確保することができる。ここで、点検動作休止時間ｔRは、例えば、点検設定時間ｔの間の点検動作で蓄電池２４から供給される電力以上の電力が、蓄電池２４に充電され得る時間に設定されてもよい。
【００９７】
図９は、本発明に係る点検動作の開始における他の実施形態を示すタイミングチャートである。
【００９８】
図９によれば、点検モード起動信号がＯＦＦからＯＮになり、次いでＯＮからＯＦＦになった時点で、点検動作はＯＮとなり、予め設定された動作時間ｔの経過後にＯＦＦとなる。この場合、制御部２３は、点検指示判定部２７が反射光Ｒを含むとの判定を行った後に反射光Ｒを含まないとの判定を行った際、点検動作を開始させることになる。ここで、点検動作がＯＮである期間、照明部２２には蓄電池２４から電力が供給されて照明がＯＮとなる。この場合、照明がＯＮとなる時間ｔCは概ね動作時間ｔと一致する。
【００９９】
このような実施形態においても、点検窓１２１の汚れによって点検モード起動信号が常時ＯＮとなった場合に、点検動作を継続してＯＮにしてしまう事態を回避することができる。また、点検モード起動信号として所定範囲内のパルス幅を有するものに限定するならば、単に点検モード起動信号がＯＦＦからＯＮになるのに合わせて点検動作をＯＮにする場合に比べて、外乱光等による点検モードの誤動作をより確実に抑制することができる。
【０１００】
ここで、点検動作の動作時間ｔの前において、照明が（通常モードとして）ＯＮ状態であるならば、点検動作が開始されたか否かは照明部２２の照明の具合では見分けることができない。この場合、例えば表示窓１２３から表示ランプの点灯状態を確認することによって点検動作中であることを認識することになる。
【０１０１】
図１０は、本発明に係る点検動作の開始における更なる他の実施形態を示すタイミングチャートである。
【０１０２】
図１０によれば、本実施形態においても、点検モード起動信号がＯＦＦからＯＮになり、次いでＯＮからＯＦＦになった時点で、点検動作はＯＮとなり、予め設定された動作時間ｔの経過後にＯＦＦとなる。しかしながら本実施形態では、照明部２２は、点検動作がＯＮとなった時点から時間ｔ1だけ照明がＯＦＦの状態をとり、次いで時間ｔCだけ点検動作としてＯＮ状態となる。即ち、点検動作の動作時間ｔの前において照明がＯＮ状態であっても、照明が一旦時間ｔ1だけＯＦＦとなり、その後ＯＮとなる。
【０１０３】
一般に、照明がＯＮ状態であるときに点検者がモード確認のために表示窓１２３を見つめると、照明窓１２２からの照明光が眩しくモード確認がしづらい。しかしながら、上述した図１０の実施形態によれば、点検モードの起動時に照明のＯＦＦ状態が入るので、点検者は、表示窓１２３を注視せずとも点検モードの起動を認識することが可能となり、点検確認の負担が低減する。
【０１０４】
図１１は、本発明に係る点検動作の開始における更なる他の実施形態を示すタイミングチャートである。
【０１０５】
図１１（Ａ）によれば、点検モード起動信号がＯＦＦからＯＮになってＯＮからＯＦＦになる挙動（パルス１個分の挙動）を判定設定時間ｔKの間に２回行った際、点検動作として点検モード２が時間ｔだけ起動する。またこの場合、点検動作の開始を示すサインとして照明が、点検モード２の起動と同時にＯＦＦ状態となり、その後ＯＮ及びＯＦＦの組を２回繰り返した後、点検動作として時間ｔCだけＯＮ状態となる。点検者は、照明が２回点滅したことを視認して点検モード２が起動したことを確認することができる。ここで、このような照明の点滅による点検モードの報知を規定する時間ｔ1〜ｔ5は、点滅が目視判定可能な速度となるように決定される。
【０１０６】
また、図１１（Ｂ）によれば、点検モード起動信号がＯＦＦからＯＮになってＯＮからＯＦＦになる挙動（パルス１個分の挙動）を判定設定時間ｔKの間に３回行った際、点検動作として点検モード３が時間ｔだけ起動する。またこの場合、照明部２２の照明は、点検動作の開始を示すサインとして点検モード３の起動と同時にＯＦＦ状態となり、その後ＯＮ及びＯＦＦの組を３回繰り返した後、点検動作として時間ｔCだけＯＮ状態となる。点検者は、照明が３回点滅したことを視認して点検モード３が起動したことを確認することができる。ここで、このような照明の点滅による点検モードの報知を規定する時間ｔ1〜ｔ7も、点滅が目視判定可能な速度となるように決定される。
【０１０７】
例えば、図１１（Ａ）及び（Ｂ）において、ｔkとして０.３〜２秒（ｓ）、ｔSとして０.０２〜０.３ｓ、ｔ1として０.３ｓ〜１ｓ、ｔ2〜ｔ7として０.１〜０.５ｓ等の時間設定を行うことも好ましい。
【０１０８】
さらに、点検動作の第１〜第３の種類としての点検モード１〜３として、例えば、
（ａ）点検モード１：蓄電池２４によって照明部２２に電力が供給されるか否かの点検動作を行うモード、
（ｂ）点検モード２：蓄電池２４における充電の程度の点検動作を行うモード、及び
（ｃ）点検モード３：蓄電池２４の電力供給に係る動作ログの点検動作を行うモード
と設定することができる。尚、いずれの点検モードにおいても起動している際には、照明部２２が蓄電池２４からの給電によってＯＮ状態となっていることも好ましい。
【０１０９】
また、点検モード２の充電の程度は、点検モード２の起動中に、照明装置１の専用端子から充電量（電池電圧）信号を取得して確認してもよく、又は照明装置１に設置された充電量デジタル表示計をもって確認できることも好ましい。さらに、点検モード３の動作ログも、照明装置１の専用端子から動作ログ信号を取得して確認してもよく、又は照明装置１に設置されたディスプレイをもって確認できることも好ましい。
【０１１０】
このように、本実施形態では、点検モード起動信号がＯＮ及びＯＦＦの組（パルス１個分の挙動）を判定設定時間ｔKの間にＮ回行った際、点検モードＮが時間ｔだけ起動する。即ち、制御部２３は、点検指示判定部２７が判定設定時間ｔK内に「反射光Ｒを含むとの判定」及びその後の「反射光Ｒを含まないとの判定」の組を行った回数に応じて、予め当該回数毎に対応付けられた点検モード１〜３のうちから対応する点検モードＮを選択し、選択した点検モードＮを起動させることになる。その結果、点検光Ｔに対し判定設定時間ｔKの間にＮ回手をかざす（手を振る）という容易な操作によって、所望の点検モードＮを選択して起動させることが可能となる。
【０１１１】
さらに、本実施形態では、制御部２３は、起動させた点検モードの種類に応じて、予め当該種類毎に対応付けられた開始・停止回数のうちで対応する開始・停止回数Ｎを選択し、選択した開始・停止回数Ｎだけ照明部２２への電力供給を開始させ且つ停止させる動作を繰り返す。このような照明の点滅によって点検モードの種類が報知され、Ｎ回の点滅を視認した点検者は、点検モードＮが起動したことを認識することができる。
【０１１２】
図１２は、本発明に係る点検動作の開始における更なる他の実施形態を示すタイミングチャートである。
【０１１３】
図１２に示す実施形態では、起動された点検モード２が終了しないうちに、新たな点検モードを起動させることができる。例えば、点検モード３を起動させる際、点検者は、点検モード起動信号を３回出力させるように起動動作（手を振る動作）を３回行う。しかしながら、起動動作が不十分で、点検モード起動信号が判定設定時間ｔK1の間に２回しか発生しなかった場合、点検モード２が起動してしまう。点検者は、この誤作動を、点検動作開始時における照明の２回の点滅を視認することにより認知する。
【０１１４】
点検者はそこで、再度起動動作（手を振る動作）を３回行い、点検モード２の終了を待たずに点検モード起動信号を判定設定時間ｔK2の間に３回出力させ、所望の点検モード３を起動させる。ここで、点検動作開始時における照明の３回の点滅によって点検モード３が起動したことを確認する。
【０１１５】
このように、本実施形態によれば、意図しない点検モード起動の報知（照明の点滅）を視認した際、すかさず所望の点検モードを起動させることが可能となる。
【０１１６】
図１３は、本発明による照明装置１の通常モード、停電モード及び点検モードにおける各構成部の動作を示すタイミングチャートである。
【０１１７】
図１３（Ａ）に示す通常モードでは、ＳＷ１の開閉に連動させてＳＷ５を開閉することによって照明をＯＮ／ＯＦＦさせる。即ち、ＳＷ１が閉成されたらＳＷ５を閉成し、照明をＯＮ状態にする。また、充電中である蓄電池２４の電池電圧がセル１本当たりで所定の上限閾値電圧（ニッケル水素電池では約１.８Ｖ）にまで上昇したらＳＷ３を開放し、蓄電池が過充電とならないようにすることも好ましい。
【０１１８】
また、図１３（Ｂ）に示す停電モードでは、ＳＷ１の開閉に依らず、蓄電池２４から照明部２２に電力が供給され、同時にＳＷ５を閉成して照明をＯＮ状態にする。ここで、ＳＷ１が閉成している場合、停電の前後でも照明はＯＮ状態にあるので、照明を目視しているだけでは停電したか否かの判断はできない。この判断は、停電表示ランプの点灯の有無により判断する。ＳＷ１が開放している状態での停電では、停電と同時に照明がＯＮ状態となる。尚、停電中は蓄電池２４の電力消費によって蓄電池２４の電池電圧が低下する。この電池電圧がセル１本当たりで所定の下限閾値電圧（ニッケル水素電池では約１.０Ｖ）にまで低下したらＳＷ４を開放し、過放電とならないようにすることも好ましい。
【０１１９】
さらに、図１３（Ｃ）に示す点検モードでは、ＳＷ１が閉成している場合、点検モードの前後でも照明はＯＮ状態にある。しかしながら、点検モードの起動は、起動のタイミングで点検モード報知動作として照明が点滅するので、容易に確認することができる。ＳＷ１が開放している場合も同様に、点検モード報知動作としての照明の点滅の後に照明がＯＮ状態となるので、点検モードの起動を確認することができる。
【０１２０】
以上、本発明によれば、「受波手段（受光器）で検出された波が、送波手段（投光器）から放射され点検者によって反射させられた反射波を含む」との判定を行った場合に、照明装置の点検動作を開始する。これにより、装置内から外部に操作用の道具を出したり外部から特別な道具を用いたりすることなく、点検動作を容易に開始させることができる。
【０１２１】
また、点検動作の開始を指示するために、装置内から外部に操作用の道具を出したり外部から特別な道具を用いたりする必要がないので、照明装置の全体を密封することができ、防水性や防塵性を高めることが容易となる。従って、例えば洞道等の高湿度の環境下、又は坑道等の粉塵の多い環境下でも高い信頼性をもって使用することのできる照明装置を提供することができる。
【０１２２】
なお、以上に述べた実施形態は全て、本発明を例示的に示すものであって限定的に示すものではなく、本発明は、他の種々の変形態様及び変更態様で実施することができる。従って、本発明の範囲は、特許請求の範囲及びその均等範囲によってのみ規定されるものである。
【符号の説明】
【０１２３】
１  照明装置
１１  ベース板
１２  カバー
１２１  点検窓
１２１ｎ  点検窓の内面
１２１ｓ  点検窓の外面
１２２  照明窓
１２３  表示窓
１３  ケーブルグランド
２１  電源部
２２  照明部
２３  制御部
２４  蓄電池
２５  投受光ユニット
２５１  投光器
２５２  受光器
２５３  光学フィルタ
２６  表示ランプ
２７  点検指示判定部
２８  投光駆動部
４  電源線
【図１】
2015079596.tif 000003
【図２】
2015079596.tif 000004
【図３】
2015079596.tif 000005
【図４】
2015079596.tif 000006
【図５】
2015079596.tif 000007
【図６】
2015079596.tif 000008
【図７】
2015079596.tif 000009
【図８】
2015079596.tif 000010
【図９】
2015079596.tif 000011
【図１０】
2015079596.tif 000012
【図１１】
2015079596.tif 000013
【図１２】
2015079596.tif 000014
【図１３】
2015079596.tif 000015